(57)【特許請求の範囲】
【請求項１】
片流れ屋根の頂部に固定する釘穴を形成した固定面材とこの固定面材に所定角度で連結された取付面材とを有する取付金具と、前記取付金具の頂部側の一端側部を前記固定面材の突出方向へ丸みをおびるように折り曲げた折曲片と、前記固定面材に前記取付面材の片流れ屋根の頂部から外方向への突出位置を一定にするための目印を有し、前記取付金具の取付面材に取付固定される垂直面材とこの垂直面材の一端側部から折曲して屋根材の上方に配置される屋根上面材とを有する片流れ棟板金と、を具備する片流れ屋根の棟部板金役物。
【請求項２】
前記取付金具の固定面材と取付面材の連結角度は、片流れ屋根の頂部に固定面材を固定した時に取付面材が略垂直となる角度であることを特徴とする請求項１に記載の片流れ屋根の棟部板金役物。
【請求項３】
前記片流れ棟板金の垂直面材の一端側部から屈曲する屋根上面材の垂直面材に対する屈曲角度は、前記取付面材に前記垂直面材を取付固定した時に屋根上面材が前記固定面材と略並行になる角度であることを特徴とする請求項１又は請求項２に記載の片流れ屋根の棟部板金役物。
【請求項４】
前記取付金具の取付面材と前記片流れ棟板金の垂直面材との長さが略同じであって、前記垂直面材の前記屋根の頂部と反対側の他端側を前記屋根上面材方向へ折り曲げた鉤片を具備することを特徴とする請求項１乃至３のいずれかに記載の片流れ屋根の棟部板金役物。
【発明の詳細な説明】
【技術分野】
【０００１】
この発明は、片流れ屋根の棟部板金役物及び該棟部板金役物を用いた片流れ屋根の棟部構造に関する。
【背景技術】
【０００２】
周知のように、片流れ屋根構造を有する建物の棟部においては、雨水の漏洩防止や美観上の観点から、例えば、特許文献１に開示されるような屋根用板金役物が用いられている。この従来の屋根用板金役物の主な構成は、建物の屋根面に配置される天面板材と、建物の壁面に配置される垂下板材と、この垂下板材と平行に配置されて破風下地に固定される破風下地固定材と、垂下板材の下方でこの垂下板材と破風下地固定板材との間に破風板のみこみ部を形成し、破風板のみこみ部に破風板の上層部を配置したものである。このような構成を採用することによって、屋根頂部の異なる勾配に対応でき、又、部材の数を少なくし、しかも防水性の高い止水箱をも具備できるものとしている。  
【先行技術文献】
【特許文献】
【０００３】
【特許文献１】特開２０１６−６２８１
【発明の開示】
【発明が解決しようとする課題】
【０００４】
しかしながら、上記従来技術によると、屋根用板金役物を構成する天面板材、垂下板材、破風下地固定板材、垂下板材と破風下地固定板材を連結して破風板のみこみ部を形成する連接板材は、全て固定されて一体化されているために重くなって、取付け作業能率が低下するという問題点がある。
【０００５】
又、破風板のみこみ部の間隔距離は予め定められているために、厚さの異なる破風板を用いる場合にはその厚さに見合った屋根用板金役物を別途作製しなければならい問題点がある。
【０００６】
さらに又、屋根用板金役物を建物に固定するには、破風下地固定板材の表面から垂木へ、又、破風板の表面から破風下地材に向かって釘やビス等を水平方向に打ち込まなければならないので、この水平方向へ金槌を振り上げての打ち込み作業は作業者の負担が大きいという問題点がある。
【０００７】
さらに加えて、屋根用板金役物を棟部の長手方向に繋いで使用する場合においては、雨水の漏洩防止のために繋ぎ目を一部重ね合わせて使用しなければならないが、この時、内側へ嵌め込んだ方の部材に弛みが生じて見栄えが悪くなるという問題点がある。
【課題を解決するための手段】
【０００８】
この発明は上記事情に鑑みてなされたものであって、その手段とするところは、片流れ屋根の頂部に固定する釘穴を形成した固定面材とこの固定面材に所定角度で連結された取付面材とを有する取付金具と、前記取付金具の頂部側の一端側部を前記固定面材の突出方向へ丸みをおびるように折り曲げた折曲片と、前記固定面材に前記取付面材の片流れ屋根の頂部から外方向への突出位置を一定にするための目印を有し、前記取付金具の取付面材に取付固定される垂直面材とこの垂直面材の一端側部から折曲して屋根材の上方に配置される屋根上面材とを有する片流れ棟板金と、を具備する片流れ屋根の棟部板金役物としたところにある。
【０００９】
前記取付金具の固定面材と取付面材の連結角度は、片流れ屋根の頂部に固定面材を固定した時に取付面材が略垂直となる角度であることにある。
【００１０】
前記片流れ棟板金の垂直面材の一端側部から屈曲する屋根上面材の垂直面材に対する屈曲角度は、前記取付面材に前記垂直面材を取付固定した時に屋根上面材が前記固定面材と略並行になる角度であることにある。
【００１１】
前記取付金具の取付面材と前記片流れ棟板金の垂直面材との長さが略同じであって、前記垂直面材の前記屋根の頂部と反対側の他端側を前記屋根上面材方向へ折り曲げた鉤片を具備することにある。
【発明の効果】
【００１６】
この発明の片流れ屋根の棟部板金役物は、片流れ屋根の棟部の保護及び雨漏りを防止する構造を、片流れ屋根の棟部に固定する取付金具と片流れ棟板金の２つの別の部材によって構成したので、一体型の従来のものと比較して各部材が軽くなる結果、施工工事がやり易くなる。また、破風板の厚みが変わった場合でも固定面材の片流れ屋根の棟部への固定位置を変えることによって自在に対応できる。更に、取付金具の固定面材の棟の頂部への取付時における釘やネジ釘などを金槌やドライバーなどによって上方から力を加える取付作業とすることが出来、その結果、作業者の負担が少なくなり作業が楽に行える。
【００１７】
又、片流れ屋根の傾斜角度が変わった場合にも、前記固定面材と取付面材の連結角度を変えた固定面材、垂直面材と屋根上面材の屈曲角度を変えた片流れ棟板金を予め準備しておくことによって対応することが出来る。
【００１８】
更に、前記取付面材と前記垂直面材との長さが略同じで、前記垂直面材の他端側に鉤片を具備することにより、垂直面材の取付面材への端部側の取付固定が簡単になる。又、前記取付面材の一端側縁に屈曲片を形成しておくことにより、片流れ棟板金の屋根上面材と垂直面材の角部の内側における取付面材との摩擦が緩和され、片流れ棟板金の耐久性が向上する。
【００１９】
前記固定面材が、前記取付面材の一面から所定長さ突出した突出片と、この突出片の端部側に前記取付面材の他端側部側方向へ略平行に且つ下端縁が前記取付面材の他端側部縁よりも突出した個所に釘穴を形成した垂直固定片を具備するものとしたことで、破風板の厚さに見合った突出片の長さとしておくことが出来、又、固定面材の頂部への取付時における作業においても取付面材が邪魔になることなく作業ができる。
【００２０】
上記した片流れ屋根の棟部板金役物を用いた片流れ屋根の棟構造とすることによって、施工が簡単で外観の見栄えの良い片流れ屋根の建物となる。更に、建物内部の換気も雨水の侵入を防ぎつつ行うことが出来る。
【図面の簡単な説明】
【００２１】
【図１】片流れ屋根の棟部構造を具備する建物の全体斜視図
【図２】取付金具の一実施例の全体斜視図
【図３】片流れ棟板金の一実施例の斜視図
【図４】取付金具を野地板に固定した状態の斜視説明
【図５】図４のＤ−Ｄ線断面図
【図６】図５に示す取付金具に片流れ棟板金を固定した棟部の断面図
【図７】図６の状態の片流れ棟板金を屋根材の上方に配置した棟部の断面図
【図８】他の実施例の取付金具の全体斜視図
【図９】他の実施例の取付金具の全体斜視図
【図１０】他の実施例の取付金具の全体斜視図
【図１１】図１０の取付金具に片流れ棟板金を固定した棟部の断面図
【図１２】通気構造を形成する片流れ棟板金と通気枠の分解全体斜視図
【図１３】図１２の通気穴の拡大斜視図
【図１４】図１３のＥ−Ｅ線断面図
【図１５】図１３のＦ−Ｆ線断面図
【図１６】片流れ棟板金と繋ぎ片流れ棟板金の一部重なり部分の斜視説明図
【図１７】図１のＡ−Ａ線断面図
【図１８】図１のＢ−Ｂ線断面図
【図１９】図１のＣ−Ｃ線断面図
【発明を実施するための形態】
【００２２】
この発明の実施形態について、図面に基づいて説明する。この実施形態の片流れ屋根の棟部構造は、図６などにおいて示すように、柱２、棟木３、垂木４などの構造部材によって支持される野地板５とその上方に敷設された屋根材６によって形成される片流れ屋根７を有する建物８において、前記片流れ屋根７の頂部７ａに固定する取付金具９と、前記取付金具９に取付固定される垂直面材１０と該垂直面材１０の一端側部から折れ曲がって前記片流れ屋根の頂部７ａや前記屋根材６の上方に配置される屋根上面材１１とを有する片流れ棟板金１２と、を具備する片流れ屋根の棟部板金役物１を具備する。
【００２３】
前記取付金具９は、図２から良く判るように、前記垂直面材１０を取付固定する取付面材１３と、この取付面材１３の一面から突出して片流れ屋根７の頂部７ａに固定する固定面材１４を具備してなる。前記片流れ屋根７の頂部７ａは、この実施形態のように野地板５の端部であってもその他の部材であってもよい。前記固定面材１４の中央部には垂直方向に釘穴１５が設けられて、この釘穴１５から釘やビスなどを用いて前記頂部７ａに固定するが、釘穴１５がない時には他の固定手段で固定しても良い。又、前記取付面材１３の頂部７ａから外方向への突出位置を一定にするために固定面材１４に目印１６を刻んで置くと便利である。前記固定面材１４は図２のように前記取付面材１３の中央の切欠いた一部分を折り曲げて形成しても、別部材を取付面材１３の一面に接合したものでも良い。固定面材１４と取付面材１３のなす角度は、設置時に取付面材１３が略垂直方向を向くようにするために、野地板５などの頂部７ａの設置角度によって適宜変更可能としている。
【００２４】
更に、前記取付金具９は、前記取付面材１３の頂部７ａ側の一端側部を前記固定面材１４の突出方向へ折り曲げた折曲片１７を具備して、取付金具９に取付固定される垂直面材１０と屋根上面材１１のなす角部内側の接触が面接触として片流れ棟板金１２が風などで振動した時にも局所摩擦を少なくして極部破損の防止と耐久性の向上を図っている。
【００２５】
前記片流れ棟板金１２は、図３、図６等に示すように、設置時において前記取付面材１３に取付固定することにより略垂直となる垂直面材１０とこの垂直面材１０の一端側で角度Ｘで折れ曲がった屋根上面材１１を有している。屋根上面材１１の長さは頂部７ａを覆って雨水が屋根材６の上方まで達するような長さにしている。又、前記垂直面材１０の他端側を屋根上面材１１方向へ折り曲げて、前記取付金具９の取付面材１３の他端側縁に引っ掛けて固定する鉤片１８を形成している。更に、前記屋根上面材１１の端側部は、野地板５と屋根上面材１１との間隔距離を開けるために設けられ垂木４などの構造部材に固定された木材等からなるスペーサ部材２３に固定する折れ曲がった屈曲固定片１９を形成し、更にこの屈曲固定片１９の端部には雨水の野地板５上への侵入を阻止し屋根材６上に導く流し片２０を形成している。又、屈曲固定片１９は前記スペーサ部材２３に固定するための釘穴１５が形成されており、この釘穴１５に釘等をスペーサ部材２３に打ち込んで固定した状態では前記垂直面材１０と略平行となるようになっている。この状態で片流れ棟板金１２の垂直面材１０の他端側の鉤部１８が前記取付面材１３の他端側縁に引っ掛けられて係止し、垂直面材１０と屋根上面材１１との折り曲げ角部の内側に取付面材１３の一端側縁が入り込んでいるので、垂直面材１０に対する片流れ棟板金１２の取付固定は確固なものとなる。
【００２６】
この発明の実施形態の片流れ屋根の棟部構造は、上記の取付金具９と片流れ棟板金１２の組み合わせからなる片流れ屋根の棟部板金役物１を用いて構成される構造であるが、その設置手順を図４乃至図７を参照しつつ説明する。
【００２７】
まず、図４、図５に示すように、図２に示される取付金具９を野地板５などの頂部７ａの上面の長手方向横一列となるように予め引かれた基準線Ｌに固定面材１４の目印１６を合わせ且つ横方向に所定の間隔を開けて必要枚数を固定する。この時、取付金具９の固定面材１４の釘穴１５の位置を決める基準線Ｌは、図５に示すように、柱２、棟木３、野地板５などに固定されている破風下地板２１の外面と取付面材１３の一面の間隔距離Ｙが破風板２２の厚さに相当するようにしておくことにより、破風板２２の嵌め込み作業が容易で隙間もないように設置でき雨水の浸入を防止できる。又、この実施形態では、固定面材１４の釘穴１５は垂直方向で上方を向いているので、ねじ釘２４等を用いて頂部７ａにねじ込み固定するには、作業者は上方から力を加えてねじ込むことができるので足場が良くない状態においても作業が楽で疲れも少なくなり作業能率が向上する。釘を用いてハンマーで叩打する場合も同様である。
【００２８】
次に、図６に示すように、垂直面材１０の他端側縁に鉤片１８を引っ掛けた状態で、片流れ棟板金１２を頂部７ａ方向である矢符Ｋ方向へと回転させる。すると、図７に示すように、屋根上面材１１が頂部７ａの上方を覆い、この状態で、屈曲固定片１９の釘穴１５にねじ釘２４を差し込んで垂木４に固定されているスペーサ部材２３の側面に固定して取り付ける。流し片２０はスペーサ部材２３と屋根材６に形成される隙間から野地板５方向への雨水の侵入を阻止する。押え材２７は金属薄板からなる屋根材６の上端を固定している。
【００２９】
又、垂直面材１０と屋根上面材１１のなす角部の内側面は垂直面材１０の屈曲片１７の外周面と丸みをおびた面接触となっているので、振動が生じても摩耗が殆ど生じなく、騒音の発生がなく耐久性がある。更に、取付面材１３の下端側縁に鉤片１８が引っ掛り角部内側に上端側縁が入り込むので、前記のように、垂直面材１０の上下端を取付面材１３に固定され、且つ屈曲固定片１９がスペース部材２３にねじ釘２４で固定されていることから、片流れ棟板金１２は強固に頂部７ａに固定される。しかも、ねじ釘２４の使用は１カ所だけであるので、取付作業は簡単である。片流れ屋根の傾斜角度の異なる建物８の種類によって対応するには、垂直面材１０と屋根上面材１１のなす角度Ｘを変えた片流れ棟板金１２を複数種類予め作成しておけば良い。
【００３０】
上記のようにして片流れ屋根棟板金１２を取付金具９に取付固定し、屈曲固定片１９をスペーサ部材２３に釘止めし終えると、破風下地板２１の外面と取付面材１３の一面の間に破風板２２の厚さ分の間隔距離Ｙが形成されているので、図７に示すように、下方から破風板２２の上部を差し込んで、ねじ釘２４で固定することで取付作業が終了する。この時、ねじ釘２４の頭部が外へ露出するが、塗装等によって隠すことができるので美観を損なうことはない。
【００３１】
次に、取付金具９の変形例を図８乃至図１０に示す。まず、図８は、矩形の取付面材１３の中央部分を３方向だけに切り目を入れて折り曲げて固定面材１４を形成し、更に上端側部を固定面材１４と同じ方向に曲げて折曲片１７を形成したものである。この場合には、取付面材１３の横幅一杯の長さとなるような長い屈曲片１７を形成できるので、片流れ棟板金１２の取付金具９への固定がより強固にできる。又、取付面材１３自体も上端側縁が繋がっているので強度が強くなる。
【００３２】
更に、図９に示す取付金具９は、図８の取付金具９の変形例で、取付面材１３を長尺にして、２つの固定面材１４を設けたものである。この実施形態の場合には、図８の取付金具９と同様に強固に片流れ棟板金１２が取付固定できるのに加えて、取付金具９の頂部７ａへの固定作業が取付金具９の設置個数が少なくてよくなる分だけ、取付作業が簡単になる。又、取付面材１３と垂直面材１０の上下端との接触部分が長くなるので、強固に片流れ棟板金１２を取付固定できる。
【００３３】
更に又、図１０、図１１に示す取付金具９は、前記までの３つの実施形態と異なり、釘穴１５が水平方向に開いている点である。この実施形態の取付金具９の固定面材１４は、取付面材１３の一面から所定長さ突出した突出片２５と、この突出片２５の端部側を前記取付面材１３の他端側へ平行に折り曲げた垂直固定片２６を有する。垂直固定片２６の取付面材１３よりも下方に位置する箇所には水平方向に貫通した釘穴１５を形成している。この時の取付面材１３と垂直固定片２６の間隔距離Ｙとなる突出片２５の長さは、後から取り付ける破風板２２の厚さに相当するように定められている。そして、垂直固定片２６は取付面材１３の下端より更に長く下方へ伸びた位置に釘穴１５が形成されて、この釘穴１５にねじ釘２４をねじ込む際の作業がし易いようになっている。
【００３４】
尚、図５乃至図７においては屋根材６として金属薄板屋根材をビス等で野地板５に固着した実施形態を示し、図１１においては屋根材６として住宅用化粧スレートなどの厚みのある部材の端部同士を重ね合わせて使用した実施形態を示したが、この実施形態の片流れ屋根の棟部板金役物１は屋根材６の種類に影響なく施工できる。
【００３５】
図１２、図１９は、通気構造を有する通気片流れ棟板金１２０と雨水受枠２８を用いた片流れ屋根の棟構造を示す。前記した片流れ棟板金１２と異なるところは、屋根上面材１１に通気孔２９を形成したことである。そして、この通気片流れ棟板金１２０の下方には、前記通気孔２９から侵入する雨水を受け止めて屋根材６に導き、且つ、建物８内の空気を前記通気孔２９へ導くための前記雨水受枠２８が前記スペーサ部材２３に固定して設けられている。
【００３６】
前記雨水受枠２８は、図１２に示す分解図に良く現れているように、侵入する雨水を受け止める樋部３０と、該樋部３０の両側端を塞ぐ閉塞板３１と、空気の通過を許容し雨水の通過を阻止する雨水遮断部材３２と、該雨水遮断部材３２前記スペース部材２３上方に固着するための固着材３３と、を具備している。前記樋部３０は下流側板３４に形成した排水孔３５と、内部に前記雨水遮断部材３２を挿入できる空間を有しかつ通気穴３６を有する上流側板３７を具備している。
【００３７】
上記構成からなる通気片流れ棟板金１２０を頂部７ａに設置するには、前記した通気孔２９を有していない片流れ棟板金１２の横方向の連結と同様の手段で横方向に連結して使用する。その連結の構造は、図１６乃至図１８に示すように、互いの端部が重ならないように隣接した２つの片流れ棟板金１２又は通気片流れ棟板金１２０の下方に跨るようにして、前記片流れ棟板金１２と同様にして前記取付金具９の取付面材１３に取付固定されている繋ぎ片流れ棟板金３８の上方に載せる。前記繋ぎ片流れ棟板金３８の上面の両側には、合成樹脂発泡体などからなる水密材３９を２条ずつとその各２条の水密材３９の間にシーリング材４０などを塗布しておき、この２条の水密材３９の上方にそれぞれ隣接する片流れ棟板金１２又は通気片流れ棟板金１２０の端部を載せる。図１６は、繋ぎ片流れ棟板金３８の一方側の２条の水密材３９とシーリング材４０の上方に通気片流れ棟板金１２０を被せた状態を示している。上記の連結構成により、隣接する２つの片流れ棟板金１２の隙間から侵入した雨水は、水密材３９に導かれて屋根上面材１１を下って屋根材６上に導かれる。
【００３８】
上記のようにして、前記通気片流れ棟板金１２０を建物８の頂部７ａへ取り付けた場合には、図１９に示されるように、建物８の内部空間と連通している野地板５に形成した連通孔４１及び野地板５の頂部７ａに固定している通気筒４２を通じて、野地板５と片流れ棟板金１２が形成する空間内に建物８の空気が導かれる。この導かれた空気は、スペース部材２３の上面に固定されている雨水よけの囲い部材４３の上面に両面テープなどの前記固着材３３で固着された前記雨水遮断材３２を通過して、上流側板３７の通気穴３６、屋根上面材１１の通気孔２９を通って大気中に放出される。通気孔２９は、図１３、図１４に示すように面材の一部を切り欠いて凹むことによって形成される多数の凹み片２９ａの隙間２９ｂからなるので効率よく排気される。
【００３９】
一方、この通気孔２９から侵入した雨水は、雨水受枠２８の樋部３０内に落下して、この樋部３０の下流側板３４の排水孔３５から屋根材６上に導かれる。風により雨水が上流側板３７方向へ侵入した場合には、雨水遮断部材３２によって侵入を阻止される。それでも侵入した場合でも、野地板５の連通孔４１の上方には通気筒４２が位置しているので、建物８の内部空間への侵入はない。
【産業上の利用可能性】
【００４０】
この発明の片流れ棟部板金役物及びこの片流れ棟部板金役物を用いた片流れ屋根の棟部構造は、片流れ屋根を有する建物に広く利用できる。
【符号の説明】
【００４１】
１    片流れ屋根の棟部板金役物
５    野地板
６    屋根材
７    片流れ屋根
７ａ  頂部
９    取付金具
１０  垂直面材
１１  屋根面材
１２  片流れ棟板金
１３  取付面材
１４  固定面材
１５  釘穴
１７  折曲片
１８  鉤片
２２  破風板
２８  雨水受枠
２９  通気孔
３８  繋ぎ片流れ棟板金
【図１】
0006785047.tif 000002
【図２】
0006785047.tif 000003
【図３】
0006785047.tif 000004
【図４】
0006785047.tif 000005
【図５】
0006785047.tif 000006
【図６】
0006785047.tif 000007
【図７】
0006785047.tif 000008
【図８】
0006785047.tif 000009
【図９】
0006785047.tif 000010
【図１０】
0006785047.tif 000011
【図１１】
0006785047.tif 000012
【図１２】
0006785047.tif 000013
【図１３】
0006785047.tif 000014
【図１４】
0006785047.tif 000015
【図１５】
0006785047.tif 000016
【図１６】
0006785047.tif 000017
【図１７】
0006785047.tif 000018
【図１８】
0006785047.tif 000019
【図１９】
0006785047.tif 000020